(57)【要約】【課題】組立、調整時に樹脂製の光学素子を保持すると、光の通過する部分に歪が生じ、透過光に収差が発生すること。保持する力を弱めると、光学素子の傾きや落下が発生すること。【解決手段】ディスク方向に向かって光を出射する光源と、光源からの光をディスク上に集光する対物レンズと、ディスクからの光を受光する受光素子と、光源から受光素子に至る光路に設けられ、かつ光学ヘッド内部に設けられた所定の基準面に接着固定された樹脂製の光学素子とを備え、前記光学素子は前記基準面に略垂直な面を有する突起を有することを特徴とする。【選択図】図２
2005129146.tif 000002
【特許請求の範囲】
【請求項１】
ディスク方向に向かって光を出射する光源と、光源からの光をディスク上に集光する対物レンズと、ディスクからの光を受光する受光素子と、光源から受光素子に至る光路に設けられ、かつ光学ヘッド内部に設けられた所定の基準面に接着固定された樹脂製の光学素子とを備え、
前記光学素子は前記基準面に略垂直な面を有する突起を有することを特徴とする光学ヘッド。
【請求項２】
前記突起が光軸を挟んで対面する複数の面に設けられていることを特徴とする請求項１記載の光学ヘッド。
【請求項３】
前記突起の一部または全部が、前記光学素子の調整、接着後に切断されていることを特徴とする請求項１または請求項２記載の光学ヘッド。
【発明の詳細な説明】
【技術分野】
【０００１】
本発明は情報の記録、再生を行うための光学ヘッドにおいて、その構成要素に含まれる樹脂製の光学部品の組立時の歪を低減した光学ヘッドに関するものである。
【背景技術】
【０００２】
従来の光学ヘッドにおいては、レンズや回折素子等、従来はガラスが用いられていた部品を樹脂成形品に置き換えることにより、装置の低コスト化を図っているものがあった。図５（ａ）は特許文献１に記載された従来の光磁気記録用の光学ヘッドを示すものである。
【０００３】
図５（ａ）において、パッケージ２はその内部に光源としてのレーザーダイオード１１および受光素子としてのフォトダイオード１２が実装あるいは形成されたシリコン基板３が設けられており、一部に光束を領域分割する回折溝５が形成されたカバーガラス４をパッケージ２の上面に高精度に位置決めし、内部を密封するように接着などにより固定していた。
【０００４】
複合プリズム６は、例えば、Ｐ偏光成分の略７０％を透過、略３０％を反射し、Ｓ偏光成分は略１００％反射する偏光依存性を持つ光学面６ａと、Ｐ偏光およびＳ偏光を略１００％反射する光学面６ｂとウォラストンプリズム７を有し、カバーガラス４上に接着などにより固定されていた。
【０００５】
以上の部品を一体化して構成された集積ユニット１から出射した光は光路１０に沿って進み、対物レンズ８により光ディスク９上に集光するように構成されていた。
【０００６】
上記の図５（ａ）に示すような構成の光学ヘッドにおいては、カバーガラス４を樹脂成形品に置き換えることにより低コスト化が図られ、製品化されている。図５（ｂ）は実際に製品化されている光学ヘッドの構成であり、図５（ａ）と同じ構成要素は同じ符号を付している。
【０００７】
この構成において、集積ユニット２１の構成を説明すると、パッケージ２２の内部にレーザーダイオードおよびフォトダイオードが実装あるいは形成されたシリコン基板３が設けられており、一部に光束を領域分割する回折溝２５が形成されたホログラム素子２４をパッケージ２２の上面に高精度に位置決めし、内部を密封するように固定しており、ホログラム素子２４の両脇から突き出した台座部に複合プリズム１６を接着などにより固定していた。
【０００８】
カバーガラス４を樹脂成形品のホログラム素子２４で置き換えたことにより低コスト化を図るとともに、形状の自由度が高いことを利用し、ホログラム素子２４に複合プリズム１６を保持する機能も持たせていた。
【特許文献１】特開平１０−１４３９３４号公報
【発明の開示】
【発明が解決しようとする課題】
【０００９】
しかしながら前記従来の構成では、図６（ａ）に示すようにホログラム素子２４をパッケージ２２の上面２２ａ上で面内調整を行い、回折溝２５とシリコン基板３の相対位置を高精度に調整する必要があり、この時、図６（ｂ）に示すように保持部材３０によりホログラム素子２４を保持すると、図中の矢印の方向に力が加わり、例えば、図６（ｃ）のようにホログラム素子２４を小型化、薄型化しようとした場合に、破線で示した、光が透過する領域に歪が生じるため、その歪みがホログラム素子２５を透過する光に収差を与えてしまうという課題を有していた。
【００１０】
また、保持部材３０による保持する力を弱めると、ホログラム素子２４の傾きや落下が発生するという課題を有していた。
【課題を解決するための手段】
【００１１】
前記従来の課題を解決するために、本発明の光学ヘッドは、ディスク方向に向かって光を出射する光源と、光源からの光をディスク上に集光する対物レンズと、ディスクからの光を受光する受光素子と、光源から受光素子に至る光路に設けられ、かつ光学ヘッド内部に設けられた所定の基準面に接着固定された樹脂製の光学素子とを備え、前記光学素子は前記基準面に略垂直な面を有する突起を有するように構成する。
【００１２】
本構成によって、樹脂製の光学素子の光の透過する部分に力を加えることなく保持することが可能になる。
【発明の効果】
【００１３】
本発明の光学ヘッドによれば、その構成要素に含まれる樹脂製の光学素子が組立時に歪むのを低減し、光学素子を透過する光に発生する収差の増加を防ぐことができる。
【００１４】
また、樹脂製光学部品の小型化の際に課題となる歪が抑えられることにより、樹脂製の光学素子を小型化することができる。
【発明を実施するための最良の形態】
【００１５】
以下、本発明の実施の形態について、図面を参照しながら説明する。
【００１６】
（実施の形態１）
図１は本発明の実施の形態１における光学ヘッドの構成図である。図１において図５（ｂ）と異なる構成要素はホログラム素子３４のみであり、その他の構成要素については同じ符号を用い、説明を省略する。
【００１７】
図１において、ホログラム素子３４は集積ユニット３１の小型化を目的として薄型化したものであり、光が通過する領域を挟んで対面する両側の側面に、パッケージ２２の基準面に対し略垂直となるような面を持つ突起部を設けている。
【００１８】
図２（ａ）はホログラム素子３４およびパッケージ２２の斜視図、図２（ｂ）はホログラム素子３４とホログラム素子３４を保持する保持部材４０の上面図であり、３４ａ、３４ｂはパッケージ基準面２２ａに対し略垂直な面を有する突起部を示している。
【００１９】
かかる構成によれば、ホログラム素子３４の光が通過する領域を挟んで対面する両側の側面に、パッケージ２２の基準面に対し略垂直となるような面を持つ突起部３４ａ、３４ｂを設けることにより、集積ユニット３１の組み立てにおいて、突起部３４ａ、３４ｂを挟んで保持することが可能となるので、ホログラム素子３４の光が通過する部分に力が加わりにくく、歪みにくい。
【００２０】
このため、ホログラム素子３４を小型化、薄型化した場合にも、素子の保持により歪ませることが無いため、集積ユニット３１全体の小型化にも適している。
【００２１】
なお、本実施の形態は突起部を光学素子の両側に設けているが、この突起部は片側のみであっても、３つ以上あってもよい。
【００２２】
また、突起部を小型化する、あるいは切れ目を入れておき、調整、接着後に切り離しても良い。この時、ホログラム素子３４はさらに小型化することが出来る。
【００２３】
なお、本実施の形態において、樹脂製の光学素子としてホログラム素子３４を用いた例で説明したが、光学素子はコリメートレンズであっても良い。
【００２４】
図３は図５（ａ）の複合プリズム６の変わりにコリメートレンズ４１を用いた構成図であり、図４はコリメートレンズ４１およびカバーガラス４を示した斜視図である。
【００２５】
図３において図５（ａ）と異なる構成要素はコリメートレンズ４１のみであり、その他の構成要素については同じ符号を用い、説明を省略する。
【００２６】
図４において、コリメートレンズ４１はカバーガラス４上の基準面４ａ上で面内調整する構成となっており、突起部４１ａ、４１ｂをつまんで保持することにより、レンズ部を歪ませることなく調整することができる。
【産業上の利用可能性】
【００２７】
本発明にかかる光学ヘッドの樹脂製の光学素子は、光が通過する領域を挟んだ両側の側面に光学素子を保持するための突起部を有し、自動機等でこの光学素子を直接掴んで保持し、組立、調整を行う用途に適している。
【図面の簡単な説明】
【００２８】
【図１】本発明の実施の形態１における光学ヘッドの構成図
【図２】実施の形態の構成１におけるホログラム素子の斜視図および上面図
【図３】実施の形態１の別の実施形態における光学ヘッドの構成図
【図４】実施の形態１の別の実施形態におけるコリメートレンズの斜視図
【図５】従来の光学ヘッドの構成図
【図６】従来の光学ヘッドの課題を示す説明図
【符号の説明】
【００２９】
１    集積ユニット
２    パッケージ
３    シリコン基板
４    カバーガラス
４ａ    基準面
５    回折溝
６    複合プリズム
６ａ    光学面
６ｂ    反射面
７    ウォラストンプリズム
８    対物レンズ
９    光ディスク
１０    光路
１１    レーザーダイオード
１２    フォトダイオード
１６    複合プリズム
２１    集積ユニット
２２    パッケージ
２２ａ    基準面
２４    ホログラム素子
２５    回折溝
３０    保持部材
３１    集積ユニット
３４    ホログラム素子
３４ａ    突起部
３４ｂ    突起部
３５    回折溝
４０    保持部材
４１    コリメートレンズ
４１ａ    突起部
４１ｂ    突起部
【図１】
2005129146.tif 000003
【図２】
2005129146.tif 000004
【図３】
2005129146.tif 000005
【図４】
2005129146.tif 000006
【図５】
2005129146.tif 000007
【図６】
2005129146.tif 000008